(57)【要約】【課題】作業機械の上方を向いた開口に備えられる開閉カバー構造を、開閉操作が容易で、開口へのアクセスが容易で、構造が簡単で、コストが安く、また外観を悪化させることのないものにする。【解決手段】開口に軸線を中心に開閉自在に支持された開閉カバーと、この開閉カバーに開位置において当接しその位置を保持する当接部材を備え、当接部材は、開閉カバーが開方向に回動し自重による開方向への力が働く位置において開閉カバーに当接する。【選択図】　　　　図４
2004068262.tif 000002
【特許請求の範囲】
【請求項１】
作業機械の上方を向いた開口に軸線を中心に開閉自在に支持された開閉カバーと、この開閉カバーに開位置において当接しその位置を保持する当接部材とを備え、
該当接部材は、開閉カバーが開方向に回動し自重による開方向に回動させる力の働く位置において該開閉カバーに当接する、ことを特徴とする作業機械の開閉カバー構造。
【請求項２】
該開閉カバー及び当接部材は、少なくともいずれか一方に備えた弾性体を介して当接される、請求項１記載の作業機械の開閉カバー構造。
【請求項３】
該開閉カバーが、物品の収納箱の開口に備えられている、請求項１又は２記載の作業機械の開閉カバー構造。
【請求項４】
該開閉カバーが、該開口の外に拡がる拡張部を有し、この拡張部に開閉操作用の取手孔が備えられている、請求項３記載の作業機械の開閉カバー構造。
【請求項５】
該収納箱が、該作業機械に搭載されたタンクに形成された段差部に載置され、該当接部材が該タンクに取付けられている、請求項３又は４記載の作業機械の開閉カバー構造。
【発明の詳細な説明】
【０００１】
【発明の属する技術分野】
本発明は、作業機械の、上方を向いた開口に備えられる開閉カバー構造に関する。
【０００２】
【従来の技術】
典型的な作業機械は、物品の収納、機器の点検、整備などのために、上方を向いた様々な開口を備え、開口には開閉カバーが備えられている。
【０００３】
例えば物品を収納する収納箱の典型例は、図８を参照して説明すると、上面の開口した箱本体５０と、この開口５１にヒンジ５２、５２により開閉自在に設けられた開閉カバー５４を備えている。箱本体５０と開閉カバー５４の間には、開閉カバー５４を開位置（図８に示す位置）に支え保持するための支持棒５６が、一端を開閉カバー５４に回動自在に、他端を箱本体５０に設けたスライド溝５８に摺動自在にして取付けられている。開閉カバー５４を開位置に開けると、スライド溝５８内の支持棒５６の端はスライド溝５８に形成された凹部５９と解除自在に係合し開閉カバー５４は所定の開位置に保持される。開閉カバー５４を開位置に保持した状態で、箱本体５０への物品の出し入れが行われる。
【０００４】
【発明が解決しようとする課題】
しかしながら、上述したとおりの形態の従来の開閉カバーの構造には、次のとおりの解決すべき問題がある。
【０００５】
（１）開閉操作が面倒：
開位置の保持及び／又は解除には、両手により開閉カバー５４と支持棒５６とを操作する必要がある。操作者が一方の手で機体の手摺り６０などをつかむような姿勢のときには、片手操作になり開閉が面倒である。また、厚手の手袋などをした状態での操作もやりにくい。
【０００６】
（２）開口スペースが狭い：
支持棒５６は開閉カバー５４を持ち上げるように支持するので、開閉カバー５４は垂直よりやや斜めの状態（支持棒５６側にやや倒れる方向）になるため、開閉カバー５４は十分に開けられず開口５１にアクセスするスペースが狭くなる。また、支持棒５６は箱本体５０の内側にあるため、支持棒５６とその動きを構成する部材が内側のスペースの一部を占有するため、支持棒５６も邪魔になる。そして、例えば物品の出し入れなどがやりにくい。
【０００７】
（３）構造が複雑、コストが高い：
開位置の保持構造が複雑であり開閉カバー５４の製作コストが高くなる。
【０００８】
（４）外観が悪い：
支持棒５６の設置、またそのための溶接加工などによって外観が損なわれる。
【０００９】
本発明は上記事実に鑑みてなされたもので、その技術的課題は、作業機械の上方を向いた開口に備えられる開閉カバー構造を、開閉操作が容易で、開口へのアクセスが容易で、構造が簡単で、コストが安く、また外観を悪化させることのないものにすることである。
【００１０】
【課題を解決するための手段】
請求項１に記載された開閉カバー構造は、作業機械の上方を向いた開口に軸線を中心に開閉自在に支持された開閉カバーと、この開閉カバーに開位置において当接しその位置を保持する当接部材とを備え、該当接部材は、開閉カバーが開方向に回動し自重による開方向に回動させる力の働く位置において該開閉カバーに当接するものである。
【００１１】
そして、開閉カバーを開けて当接部材に当接させるのみで開位置を保持できるようにし、開閉操作を容易にし、開口へのアクセスを容易にし、構造を簡単にし、コストを安くし、また外観を良くする。
【００１２】
請求項２に記載された発明は、請求項１記載の作業機械の開閉カバー構造において、該開閉カバー及び当接部材が、少なくともいずれか一方に備えた弾性体を介して当接されるものである。
【００１３】
そして、開閉カバーと当接部材が直接当たることによる傷の発生などを除く。
【００１４】
請求項３に記載された発明は、請求項１又は２記載の作業機械の開閉カバー構造の該開閉カバーが、物品の収納箱の開口に備えられているものである。
【００１５】
そして、収納箱への物品の出し入れをより容易にできるようにする。
【００１６】
請求項４に記載された発明は、請求項３記載の作業機械の開閉カバー構造において、該開閉カバーが、該開口の外に拡がる拡張部を有し、この拡張部に開閉操作用の取手孔が備えられているものである。
【００１７】
そして、開閉カバーの面から突出しない簡単な構造で、かつ操作が容易な開閉用の取手を用意する。
【００１８】
請求項５に記載された発明は、請求項３又は４記載の作業機械の開閉カバー構造において、該収納箱が、該作業機械に搭載されたタンクに形成された段差部に載置され、該当接部材が該タンクに取付けられているものである。
【００１９】
そして、タンクの増量などのために形成された段差部に、収納箱、その開閉カバー、そして当接部材を効果的に配置する。
【００２０】
【発明の実施の形態】
以下、本発明に従って構成された作業機械の開閉カバー構造について、典型的な作業機械である油圧ショベルの収納箱における好適実施形態を図示している添付図面を参照して、さらに詳細に説明する。
【００２１】
図１を参照して、全体を番号２で示す油圧ショベルについて先ず説明する。油圧ショベル２は、左右一対のトラック４、４を有した下部走行体６と、下部走行体６上に旋回自在に取付けられた上部旋回体８を備えている。上部旋回体８には、前部左側に運転室１０が、前部右側に燃料タンク１２及びその前側に開閉カバー構造を備えた物品の収納箱１４が設置されている。上部旋回体８にはまた、中央部にエンジン、油圧機器などを収容した機器室１６、前部中央に作業腕１８、後部にカウンタウエイト２０がそれぞれ取付けられている。
【００２２】
図１の収納箱１４の部分を中心に示した部分拡大詳細図である図２を参照して説明すると、収納箱１４は、後ろをタンクとしての燃料タンク１２、前を前カバー２２、右外側側面を側面カバー２４に囲まれて配設されている。前カバー２２にはステップ２２ａ、２２ｂが備えられ、ステップ２２ａ、２２ｂ、前カバー２２の上面、収納箱１４の上面を通って、燃料タンク１２の上面につながる上部旋回体８の上面へ乗降を可能にしている。
【００２３】
図２の収納箱１４回りのカバー類を外して収納箱１４の部分を中心に示した図３により説明すると、収納箱１４は、燃料タンク１２の前面下部に形成された段差部２６の上に設置されている。段差部２６を形成している燃料タンク１２の突出部は、収納箱１４の載置場所を提供すると共に燃料タンク増量のために備えられている。
【００２４】
図３と共に図４、主として図４を参照して、全体を番号２８で示す開閉カバー構造の概要について先ず説明する。開閉カバー構造２８は、収納箱１４の上方を向いた開口３０に軸線Ｘを中心に開閉自在に支持された開閉カバー３２と、開閉カバー３２に開位置（図４に二点鎖線で示す）において当接する当接部材である当接板３４とを備えている。開位置における開閉カバー３２と当接板３４は、開閉カバー３２に備えた弾性体であるクッション３６を介して当接されている。
【００２５】
図４と共に図５及び図６を参照して収納箱１４について説明する。収納箱１４は、開口３０を上面に有した略矩形の直方体状に、燃料タンク１２の左右幅方向（図４の紙面に垂直の方向）に延びた箱本体３８を備え、開閉カバー３２は開口３０の燃料タンク１２側の縁部に一対のヒンジ４０、４０により軸線Ｘを中心に回動自在に支持されている。
【００２６】
箱本体３８は鋼板を成形して形成され、底面及び燃料タンク１２側の側面には取付孔３９がそれぞれ２個備えられている。箱本体３８は、取付孔３９の各々により、燃料タンク１２の段差部２６及び縦壁２７にそれぞれ２個ずつ設けられたねじ孔付きボス４２にボルト４４により取付けられる。
【００２７】
開閉カバー３２は、開口３０を覆うと共に開口３０から機体の内方に拡がる拡張部３２ａを有し矩形状に鋼板により形成されている。拡張部３２ａには、開閉操作用の長孔状の取手孔４６が備えられ、取手孔４６の周縁には合成ゴム製のグロメット４７が嵌められている。開閉カバー３２の閉位置（図４に実線で示した位置）において上面となる面には、星型突起が複数個成形された鋼板製の滑り止め板３２ｂが取付けられている。取手孔４６と長手方向反対側の端には開閉カバー３２を閉位置に解除自在にロックするキーにより操作されるロック手段４８が取付けられている。また前述のクッション３６が取手孔４６の傍に取付けられている。
【００２８】
クッション３６は、図７を参照して説明すると、弾性を有する合成ゴム、合成樹脂などにより形成された円柱状本体３６ａの一端にスタッド３６ｂが埋め込まれ突出され成形されている。クッション３６は、円柱状本体３６ａを当接板３４の側にして、スタッド３６ｂを開閉カバー３２の孔３２ｃに通し、ナット３６ｃにより固定されている。
【００２９】
当接板３４について図３及び図４を参照して説明する。当接板３４は、開閉カバー３２が閉じ位置（図４に実線で示す位置）から矢印Ｒで示す開方向に回動し軸線Ｘを通る鉛直線Ｖを越え自重Ｗによる開方向Ｒへの力が働く位置において開閉カバー３２と当接するように配設されている。本実施の形態においては、閉位置から回動される角度θは略１０５°に設定されている。
【００３０】
当接板３４は鋼板で形成され、開閉カバー３２の長手方向と略同じ長さの幅を有し上端部をＵ字形状に曲げて燃料タンク１２の上面及び縦壁２７に取付けられている。当接板３４は燃料タンク１２の前面カバーとしても機能しており、燃料液面計の点検孔３５を備えている。
【００３１】
この図３及び図４により開閉カバー３２の開閉操作について説明する。閉位置の開閉カバー３２（図３、図４に実線で示す）を開位置（図４に二点鎖線で示す）にするには、取手孔４６を用いて開閉カバー３２を矢印Ｒで示す開方向に回動させ、鉛直線Ｖを越えて当接板３４にクッション３６を介して当接させる。開閉カバー３２は自重Ｗによる開方向Ｒへの力により、当接板３４に当てられ預けられることにより開位置に保持される。開閉カバー３２をこの開位置から閉位置にするには、取手孔４６を用いて開閉カバー３２を矢印Ｒとは逆方向に回動させ閉位置にする。
【００３２】
上述したとおりの開閉カバー構造２８の作用について、主として図３及び図４を参照して説明する。
【００３３】
（１）開閉操作が容易：
開閉カバー３２の開閉操作は、開閉カバー３２を取手孔４６を用いて回動させ、当接板３４に当接させて預けることにより開位置に保持し、あるいは当接板３４から離して鉛直線Ｖを越えて開位置に戻せばよい。したがって片手によって容易に開閉操作が行える。
【００３４】
（２）開口スペースが広い：
開閉カバー３２は鉛直線Ｖを越えて回動されるので、開口３０が広く開放される。したがって、開口３０にアクセスするスペースが広くなり、物品の出し入れなどが容易になる。
【００３５】
（３）構造が簡単、コストを安くできる：
開閉カバー構造２８による開位置の保持は、従来のように支持棒、スライド溝などを設けないので、あるいは他の周知の手段、マグネット、ラッチ、開度を規定する特殊ヒンジなどを用いないので、構造を簡単にでき、コストも安くすることができる。また、開閉カバー３２を操作する取手を取手孔４６によって形成したので、開閉カバー３２の踏面である表面に取手が出張らず安定した踏面が用意される。また取手の構造も簡単である。
【００３６】
（４）燃料タンクの段部に設置した収納箱の開口に適用：
さらに、燃料タンク１２の段差部２６に設置した収納箱１４においては、その開閉カバー構造を簡単に構成でき、また段差部２６を有効に活用することができる。
【００３７】
（５）外観を良好にする：
そして、従来のように開閉カバーを支持する支持棒がないので、外観が損なわれない。当接部材のクッション３６は開閉カバー３２と支持板３４の金属接触を防止するので表面に傷を付けない。
【００３８】
以上、本発明を実施の形態に基づいて詳細に説明したが、本発明は上記の実施の形態に限定されるものではなく、例えば下記のように、本発明の範囲内においてさまざまな変形あるいは修正ができるものである。
【００３９】
（１）開閉カバー：
本実施の形態においては、開閉カバーは収納箱の上方を向いた開口に備えられたが、開閉カバーの備えられる開口は収納箱に限定されるものではない。作業機械の点検用、整備用などの開口にも適用することができる。
【００４０】
（２）弾性体：
本実施の形態においては、弾性体であるクッションは開閉カバーに取付けられたが、当接部材である当接板の側に取付けてもよいし、あるいは両方に取付けてもよい。
【００４１】
（３）タンク：
本実施の形態においては、収納箱及び当接部材がタンクとしての燃料タンクに取付けられているが、タンクは作動油タンクあるいは水タンクなど適宜のタンクでよい。
【００４２】
【発明の効果】
本発明に従って構成された作業機械の開閉カバー構造によれば、作業機械の上方を向いた開口に備えられる開閉カバー構造を、開閉操作が容易で、開口へのアクセスが容易で、構造が簡単で、コストが安く、また外観を悪化させることがないようにすることができる。
【図面の簡単な説明】
【図１】本発明に従って構成された開閉カバー構造を備える収納箱を装備した作業機械の典型例である油圧ショベルの概略斜視図。
【図２】図１の収納箱を装着した部分の拡大詳細斜視図。
【図３】図２の収納箱の回りのカバー類を外して収納箱の部分を示した斜視図。
【図４】図３のＡ矢印方向に見た側面図。
【図５】図４のＢ矢印方向に見た収納箱の平面図。
【図６】図４のＣ矢印方向に見た収納箱の正面図。
【図７】図４のＤ矢印で示した弾性体取付部の拡大詳細図。
【図８】従来の開閉カバー構造を備えた収納箱の部分の斜視図。
【符号の説明】
２：油圧ショベル（作業機械）
１２：燃料タンク（タンク）
１４：収納箱
２６：段差部
２８：開閉カバー構造
３０：開口
３２：開閉カバー
３２ａ：拡張部
３４：当接板（当接部材）
３６：クッション（弾性体）
４６：取手孔
５４：開閉カバー
Ｘ：軸線
Ｗ：自重
【図１】
2004068262.tif 000003
【図２】
2004068262.tif 000004
【図３】
2004068262.tif 000005
【図４】
2004068262.tif 000006
【図５】
2004068262.tif 000007
【図６】
2004068262.tif 000008
【図７】
2004068262.tif 000009
【図８】
2004068262.tif 000010